(57)【要約】      （修正有）【課題】美観的に顕著に改善され、必要な層の数を削減することもでき、さらに恒久的な歯科補綴物への適応性も有する多色ミルブランク、ならびに付加製造によって形成された多色補綴物を提供する。【解決手段】歯科用多色ミルブランクであって、少なくとも２つの層１６と移行領域を有し、その移行領域内に両方の層の材料が存在する。移行領域内には三次元に延在する移行部幾何学形状が存在する。移行部幾何学形状は層の両方の延伸方向を指向する湾曲面を有する。【選択図】図５
2020114381.tif 000002
【特許請求の範囲】
【請求項１】
それぞれ異なった色および／または明度を有する材料からなり相互に隣接するとともに相互に固定式に結合される少なくとも２つの層を有し、それらの層間においてそれの延在範囲の少なくとも一部にわたって移行領域（２２）が存在し、その移行領域内に前記第１の層の材料と前記第２の層の材料の両方が存在し、さらに前記移行領域（２２）内において少なくとも１つの層間の移行部幾何学形状（３２）が三次元に延在する歯科用多色ミルブランクであり、前記移行部幾何学形状（３２）が湾曲面（３０）を含み、層の両方の延伸方向（２４，２６）に向かって斜めに指向する斜面（３６）が前記湾曲面に接続することを特徴とする多色ミルブランク。
【請求項２】
象牙質層（１８）である第１の層とエナメル質層である第２の層の間に移行領域（２２）が存在し、従って第１の材料が象牙質で第２の材料はエナメル質であることを特徴とする請求項１記載の多色ミルブランク。
【請求項３】
第１の材料が象牙質、中間層（１６）の第２の材料と中間層（１６）が第２の層で、また第３の材料がエナメル質として第３の層内に存在し、移行領域（２２）を象牙質と中間材料の間の移行領域（２２）とし、また第２の移行領域（２２）を中間材料とエナメル質の間に形成することを特徴とする請求項１記載の歯科用多色ミルブランク。
【請求項４】
複数の移行領域（２２，２４）が存在し、それらがいずれも互いに隣接する層間に三次元に延在し、すなわち平坦ではなく三次元に構造化されて特に請求項１の特徴を備える移行部幾何学形状（３２）を有することを特徴とする請求項１ないし３のいずれかに記載の多色ミルブランク。
【請求項５】
移行部幾何学形状（３２）の湾曲面（３０）の面法線が延伸方向（２４，２６）に対して最大で４５°の角度を指向し、および／または湾曲面（３０）上における両延伸方向（２４，２６）（すなわち延伸面のＸ方向（２４）とＹ方向（２６））に対する勾配が少なくとも大部分、特に全て４５°未満であることを特徴とする請求項１ないし４のいずれかに記載の多色ミルブランク。
【請求項６】
特に各湾曲面（３０）の半分超にわたって一定であり、特に好適には湾曲面（３０）全体にわたって一定である湾曲半径を湾曲面（３０）が有することを特徴とする請求項１ないし５のいずれかに記載の多色ミルブランク。
【請求項７】
特に後に加工する歯科補綴物の基底面を起点にして外方、すなわち咬合方向（５２）および／または口腔方向および／または前庭方向に延在するノブ上に湾曲面（３０）を形成することを特徴とする請求項１ないし６のいずれかに記載の多色ミルブランク。
【請求項８】
各移行領域（２２）あるいは少なくとも１つの移行領域（２２）が、咬合面に対して平行であるかまたは咬合面に対して最大でも４０°未満、特に２０°未満の角度で延在する平面内に存在することを特徴とする請求項１ないし７のいずれかに記載の多色ミルブランク。
【請求項９】
移行領域（２２）が弓形状を有する歯列弓に沿って延在し、咬合面に隣接する峰線を有し、またその峰線を起点にして口腔側あるいは前庭側の基底方向に下降する弓状フランクを有することを特徴とする請求項１ないし７のいずれかに記載の多色ミルブランク。
【請求項１０】
湾曲面（３０）が、特に基底側から見て、丸型の窪みを有するゴルフボール状の表面として形成され、および／または湾曲面（３０）が丸型の窪み上で（咬合方向（５２）から見て）相互に交接することを特徴とする請求項１ないし９のいずれかに記載の多色ミルブランク。
【請求項１１】
湾曲面（３０）が基本要素の中心であり、前記基本要素が層間の移行領域（２２）の延伸範囲にわたって規則的に反復し、特に移行領域（２２）全体にわたって均一なグリッドであることを特徴とする請求項１ないし１０のいずれかに記載の多色ミルブランク。
【請求項１２】
各基本要素（４０）が、層の延伸方向に見て、１００００ｎｍないし３ｍｍの大きさを有することを特徴とする請求項１１記載の多色ミルブランク。
【請求項１３】
第１の層と第２の層、ならびに特に第３の層も、明度および／または彩度に関して相互に異なり、また特に象牙質層（１８）が他の層に比べてより濃色および／または彩度が高いことを特徴とする請求項１ないし１２のいずれかに記載の多色ミルブランク。
【請求項１４】
より濃色および／または彩度が高い層が凸状の湾曲面（３０）を有することを特徴とする請求項１ないし１３のいずれかに記載の多色ミルブランク。
【請求項１５】
２つの移行領域（２２）が実質的に相互に平行に延在し、それらが互い違いの湾曲面（３０）をそれぞれ有することを特徴とする請求項１ないし１４のいずれかに記載の多色ミルブランク。
【請求項１６】
それぞれ異なった色および／または明度を有する材料からなり相互に隣接するとともに張り合わせによって相互に固定式に結合される少なくとも２つの層を有し、それらの層間においてそれの延在範囲の少なくとも一部にわたって移行領域（２２）が存在し、その移行領域内に前記第１の層の材料と前記第２の層の材料の両方が存在し、さらに前記移行領域（２２）内において層間の移行部幾何学形状（３２）が三次元に延在する、付加製造によって作成される多色歯科補綴物であり、前記移行部幾何学形状（３２）が湾曲面（３０）を含み、層の両方の延伸方向（２４，２６）に向かって斜めに指向する斜面（３６）が前記湾曲面に接続することを特徴とする多色歯科補綴物。
【発明の詳細な説明】
【技術分野】
【０００１】
この発明は、請求項１前文に記載の歯科用多色ミルブランク、ならびに請求項１６前文に記載の付加製造によって形成された歯科補綴物に関する。
【背景技術】
【０００２】
歯を作成する際にブロック形状あるいは円盤型で存在するミルブランクを使用するか、またはそれに代えて対応する歯を付加製造によって作成することが以前から知られている。
【０００３】
製造は樹脂、複合材料、あるいはセラミックに基づいて行うことができ、外観的印象を自然歯に近づけることが目標とされる。
【０００４】
自然歯は主に象牙質から形成され、それがエナメル質の層によって被覆されている。エナメル質の層厚は様々であり、エナメル質の透明性によって象牙質の構造が外観的な印象に影響を与える。
【０００５】
人工歯を複製する際には通常適宜な層構造が選択され、従って透明な歯材料がより透明性の低い歯材料に重ねられる。
【０００６】
樹脂から歯を製造する場合は、高架橋材料と低架橋材料の両方が使用される。低架橋樹脂によって層間の色移行部を形成することもできる。
【０００７】
しかしながら、その種の樹脂は長期耐久性の点で不利であり、従ってそれらの材料はむしろ暫定的な補綴物に適するもの見られる。
【０００８】
高架橋樹脂の場合、段階的な色変化を有する色移行部の疑似を行うために、通常異なった着色が成された多数の個別層から加工する。
【０００９】
個別の層間の色差および不透明度差は比較的小さく、外観的に満足できる補綴を達成するために５層あるいはそれ以上の層をミルブランクが備える必要がある。
【００１０】
一般的に、ブランク盤は約１００ｍｍの直径と約２０ｍｍの高さを有する。例えば異なった不透明度と色強度を有する８層とする場合、適宜な高さ長を選択することによってより明色あるいは濃色の歯を作成することもできる。
【００１１】
しかしながら歯を最下方、すなわち象牙質材料の方に向かってシフトさせると、エナメル質材料特性の透明性が欠如し、一方最上方、すなわちエナメル質材料の方に向かってシフトさせると象牙質材料特性が欠如するため、この解決方式は美観的に満足できるものではない。比較的小さな歯を製造する場合、少なくとも３層である所要の被覆がしばしば達成不可能になる。
【００１２】
加えて、多数の層を設けると高コストになるばかりでなく、不良も発生しやすい。
【００１３】
高架橋樹脂の材料は通常ペーストリ状の粘度を有していて階層の形成が不可能であるため、高架橋樹脂システムにおいて材料を混合することは不可能である。
【００１４】
１番目の層と２番目の層の材料が共に存在する移行領域を設けることも既に提案されている。しかしながら、この種の解決方式によっても必要な層の数を削減することはできず、また特に不透明度低い歯、すなわち透明なエナメル質材料からなる歯の場合に疑似が不満足になるため、この解決方式も普及していない。
【発明の概要】
【発明が解決しようとする課題】
【００１５】
従って本発明の目的は、美観的に顕著に改善され、必要な層の数を削減することもでき、さらに恒久的な歯科補綴物への適応性も有する、請求項１前文に記載の多色ミルブランク、ならびに付加製造によって形成された多色補綴物を提供することである。
【課題を解決するための手段】
【００１６】
前記の課題は本発明に従って請求項１あるいは請求項１６によって解決される。好適な追加構成が従属請求項によって定義される。
【００１７】
本発明によれば、２つの層間の移行領域内に特殊な三次元の移行部幾何学形状を形成し、その移行部幾何学形状に前記２つの層の両方の延伸方向を指向する湾曲面を設ける。前記の湾曲面は凸状または凹状とされ、多次元に交替する方式で山と谷を超えて延在する。１つの山は両方の延伸方向において谷によって囲繞される。山と谷の間には同様に全ての方向を指向する斜面が層の延伸面に対して斜めに延在する。
【００１８】
この解決方式は、明色の歯と濃色の歯のいずれにおいても意外なほど美観的に良好な結果を達成し、僅か２枚の層のみを使用して加工することが可能になる。そのことが、ミルブランクの作成ならびに対応する付加製造によって作成される補綴物の両方を大幅に単純化させる。
【００１９】
本発明によれば材料として高架橋樹脂が使用され、従って良好な長期耐久性が提供される。
【００２０】
本発明に係る湾曲面は三次元に湾曲し、従って異なった空間方向に同時に延在する曲面を備える。
【００２１】
その種の曲面の一例は半円環体である。その半円環体は１つの空間方向に見て半円形を有し、別の空間方向に見ると円形を有する。表面が２つの空間方向に湾曲し、従って層の複数の延伸方向に湾曲する曲面を形成する。
【００２２】
意外なことに、本発明に係る特殊に湾曲した湾曲面によって所要の美観的な効果が達成されるとともに、大幅に削減された層数、例えば僅か２枚あるいは３枚の層数で充足させることが可能になる。
【００２３】
好適な構成形態によれば、湾曲面が少なくとも部分的に楕円形に形成される。
【００２４】
そのため、確率的に均一に分散された２つの層間の境界面上の屈折角あるいは反射角の配分が当然有効である。
【００２５】
当該２つの層は相互に嵌合式に結合することが好適であるが、さらに例えばミルブランクの各層を相互に結合する際に層のうち少なくとも一方を熱処理するか、または例えば付加製造によって歯科補綴物を作成する際には溶融によって結合することが好適である。
【００２６】
本発明によれば、１つの色移行部のみによって所要の外観的効果が達成可能であるため、大きな歯および小さな歯のいずれにおいても同様に所要の色移行が視覚的に形成されることが好適である。
【００２７】
歯科補綴物内の境界面の位置は必要に応じて広範囲に調節可能であることが理解される。完全な歯列弓を作成する場合、境界面は実質的に咬合面に対して平行に延在することができる。単に１本あるいは２本の前歯のみを作成すべき場合は、境界層の位置を必要に応じて適宜調節することが可能であり；例えば天然のエナメル質と象牙質の間の境界層の軌道に合わせて傾斜状にすることができる。
【００２８】
天然の境界面の軌道に疑似させるために、必要に応じて境界層を肉眼で見て構造化されたものとすることができ、例えば湾曲および／または波状にすることができる。
【００２９】
肉眼で見て境界面がグリッドを有することが好適であり、すなわち周期的に反復する湾曲面の構造を有していて、それが２つの層の両方の延伸方向に向かって繰り返される。
【００３０】
そのため、本発明によれば基本要素が設けられ、その上に湾曲面が形成される。基本要素は例えば０．０１ｍｍないし３ｍｍの大きさとし、湾曲面の半径も同程度の数値レベルとすることができ、例えば５０００ｎｍないし４ｍｍの範囲とすることができる。
【００３１】
本発明によれば、基本要素を六角形構造あるいはハニカム構造に配列し、相互に調和的に合体させることが極めて好適である。
【００３２】
このことは、特に隆起部と低没部が交互に規則的に存在するノブ群からなる構造を形成する場合に、例えば湾曲面を相互に交差させることによって形成することができる。
【００３３】
前記ノブ群は球状ノブから形成することが好適であり、すなわち球状の上面を有していて、それらの間にいずれも対称形の湾曲面を有する窪み部あるいは溝が延在する。
【００３４】
本発明によれば、湾曲面が一方の層延伸方向のみでなく両方の層延伸方向を指向することも極めて重要である。それによって初めて、両方の空間方向において連続的に変化する反射角あるいは屈折角が提供される。
【００３５】
実験の結果１つの延伸方向のみを指向する湾曲面によれば美観的に顕著に低質な印象が提供され、それがさらに観察者の目視角度にも依存することが示された。
【００３６】
本発明によれば、基本要素の高さがそれの大きさと同程度の数値レベルになり、好適には大きさの１０ないし６０％となる。それによって４５°の傾斜を有する湾曲面が得られるが、その際本発明により傾斜角が両方の空間方向において極めて幅広なガウス曲線となることが理解される。
【００３７】
境界面の傾斜角を本発明に係る層の延伸方向において観測すると、分散が実質的に線形であって平均傾斜の重心が約３０°となるが、頻度分布の中に例えば０°および６０°等の末端値も最頻値の半分超の頻度を有するような方式で含まれる。
【００３８】
傾斜角の頻度分布は両方の延伸方向の空間方向において実質的に同等であることが好適である。
【００３９】
本発明の好適な追加構成によれば、エナメル質層と中間層と象牙質層の３つの層が設けられる。その際、中間層はブランクの象牙質側よりもブランクのエナメル質側により近く配置することが好適である。
【００４０】
本発明によれば高架橋樹脂結合が基本であるものの、層の重ね合わせに際して圧力および／または熱のためにペーストリ状の粘度にもかかわらず最小限の混合が発生することは排除し得ない。そのため、混合領域が僅か数ｎｍないし場合によっては５００ｎｍ程であるとしても、両方の層間の移行部はより不鮮明になる。
【００４１】
それに代えて、層を相互に接着することもでき、その際接着層を例えば５００００ｎｍの厚さとすることができる。
【００４２】
本発明に係る層間の移行部における多様な角度に基づいた極めて良好な分散によって以下に記す効果が観察できる：
【００４３】
中間層と象牙質層の間の移行部はエナメル質層と中間層の間に比べて色強度およびコントラストがより強くなる。それにもかかわらずその移行部は不可視あるいは実質的に不可視であり、その理由は、あまり深くに延在しない領域、すなわち前庭側あるいは咬合側の移行領域、つまりエナメル質層と中間層の間の移行領域が、より深くに延在する移行領域、すなわち口腔側あるいは歯肉側に延在する移行領域内の細部が認識不可能になるような方式でマスキング効果をもたらすためである。
【００４４】
このことは、中間層とエナメル質の間の移行部が本発明に従って構造化されておらずむしろそこに平坦な移行部が設けられる場合でも該当する。
【００４５】
しかしながら、本発明に従って少なくとも部分的に複数の延伸方向を指向する湾曲面を両方の移行領域に設けることが好適である。
【００４６】
湾曲面上において当然垂直軸周りの湾曲が特に重要である。それが最も強力に拡散および解像効果をもたらし、従って上述した本発明に係るノブ構造が好適である。
【００４７】
本発明によれば、ミルブランクの各歯に対して隣接する歯から分離された移行領域が存在し、それが咬合面に隣接する頂点と、口腔側および前庭側ならびに近心側および遠心側方向において歯肉に向かって下降する弓状フランクを有することが好適である。
【００４８】
本発明によれば、湾曲面を円弧上に形成し、その円弧の軸をブランクの延伸方向に対して直角に延在させることが好適である。
【００４９】
本発明によれば、ブランクを６０ないし１２０ｍｍの直径を有する平坦なシリンダ形状、特に円盤型に形成することが好適である。
【００５０】
本発明によれば、咬合側方向から見て湾曲面が水平に切断された（ハーフ）ゲート上に形成されることが好適である。
【００５１】
本発明によれば、湾曲面が六角形構造に配置され、それの中央円環開口が特に球体セグメントによって閉鎖されるか、または中央円環開口が平坦に閉鎖されることが好適である。
【００５２】
本発明によれば、各基礎要素の高さがその基礎要素の大きさの１％ないし３００％、特に１０％ないし１００％であることが好適である。
【００５３】
本発明によれば、基礎要素がそれの大きさの１０ないし５０％に切断されることが好適である。
【００５４】
本発明によれば、切断部を丸み付けし、特に０．１ｍｍないし１．３ｍｍ、極めて好適には０．４ｍｍないし０．７ｍｍの丸み半径を有するようにすることが好適である。
【００５５】
本発明によれば、湾曲面の湾曲半径が各基本要素の大きさの５ないし５０％、特に１５ないし２０％であることが好適である。
【００５６】
本発明のその他の詳細、特徴、ならびに利点は、添付図面を参照しながら以下に記述する実施例の説明によって明らかにされる。
【図面の簡単な説明】
【００５７】
【図１】本発明に係る多色ミルブランクの一実施形態を示す部分的に切開された側面図である。
【図１ａ】図１の実施形態を示す拡大詳細図である。
【図２】図１のミルブランクを下方から見て立体的に示した説明図である。
【図２ａ】図１ａの詳細部を拡大して示した平面図である。
【図３】上記各図面に係るミルブランクの移行部幾何学形状に関する３個の基本要素を示した概略説明図である。
【図４】図３の詳細構造を別の視野で示した説明図である。
【図５】本発明に係るミルブランクから製造される歯科補綴物の一部を示した拡大図である。
【図６】図５の歯科補綴物を示した拡大図である。
【発明を実施するための形態】
【００５８】
図１および図２に示されたミルブランク１０は周知の方式で円盤型であり、約１００ｍｍの直径を有する。ミルブランク１０の高さは２０ｍｍである。
【００５９】
同様に周知の方式で周回式の隆起した縁部１２を備え、それが対応するフライス盤のホルダ内に固定されるように機能する。
【００６０】
図示された実施形態においてミルブランクが３つの層を備え、すなわちエナメル質層１４と中間層１６と象牙質層１８である。
【００６１】
３つの層１４ないし１８の間にそれぞれ移行領域が存在し、すなわちエナメル質層１４と中間層１６の間の移行領域２０と中間層１６と象牙質層１８の間の移行領域２２である。
【００６２】
各移行領域２０および２２が本発明に係る独自の移行部幾何学形状を有し、それが三次元に延在するとともに本発明に従って両方の延伸方向を指向する湾曲面３０を備えるが、それに関しては図１ａを参照しながら以下に詳細に記述する。
【００６３】
ここでは、延伸方向２４がＸ方向で、図の平面に直交する方向がＹ方向２６である。
【００６４】
移行部幾何学形状内において両方の移行領域２０および２２は同様であるが、実施例に応じて異なった移行部幾何学形状、例えば異なったグリッド寸法に形成可能であることも理解される。
【００６５】
山３２および谷３４上に湾曲面３０が形成される。山３２と谷３４の間には、両方の延伸方向２４および２６に向かって斜めに延在するがそれでもなお両方の延伸方向２４および２６を指向する斜面３６が形成される。
【００６６】
山３２は一種の頂上として形成され、従ってそれぞれ実質的に円形の断面を有するノブを形成する。
【００６７】
一方谷３４は山３２の周りで相互に結合され、従って同様に円形に山３２の周りを延在する。
【００６８】
斜面３６は、中央でもっと大きくなるとともに山３２の頂点を起点にして谷３４で緩やかに終了する斜度を有する。
【００６９】
従って谷３４の湾曲半径が山３２の湾曲半径より幾らか大きくなる。
【００７０】
図示された実施例において山３２と谷３４がグリッド状に延在し、山３２とそれに対応して周回する谷３４の各組み合わせが対応する移行部幾何学形状４４あるいは４２の基本要素４０を形成する。
【００７１】
図示された実施例において、グリッド寸法は隣接する山３２の頂点間の距離として２．５ｍｍを有する。高さ、すなわち山３２と谷３４の間の垂直距離はグリッド寸法の約半分となる。
【００７２】
加えて、図示された実施例において下記のように層の配分が成される：
エナメル質層１４の高さ：  ８ｍｍ
中間層１６の高さ：        ３ｍｍ
象牙質層１８の高さ：      ９ｍｍ
【００７３】
図２には、ミルブランク１０の下面が構造化され、例えばノブ構造４５を有することが示されている。
【００７４】
その種の構造は例えば六角形の基礎構造を有し；その基礎構造が移行部幾何学形状３２および３４の可能な構成に相当し、それが図２ａの平面図に示されている。それに代えてその他の任意の、特に多角形の基礎構造も可能であることが理解される。
【００７５】
図示された実施例において移行部幾何学形状４４および４２は合同であり、従って移行部幾何学形状４４において山３２が存在する位置には移行部幾何学形状４２においても同じものが存在する。
【００７６】
それと異なった隆起の配分も可能である。例えば環状の隆起の配分も可能であり、例えば中央の起点を設け、それを囲繞して漸増する隆起の数を有するリングを設けることも可能である。それに代えて、場合によって反射の削減に関して有利であるオフセットも可能であることが理解される。
【００７７】
図３には、基本要素４０をどのように形成することができるかが示されている。明確化のために３個の基本要素４０ａ，４０ｂおよび４０ｃが、前述した実施例において相互に交接するような方式で示されている。
【００７８】
図３の視界は図２ａの断面図に相当するが、基本的に斜め下からの方向である。従って図３において山３２は下方で谷３４が上方に存在する。
【００７９】
谷３４はそれぞれ下方に向かってノブ形状の山３２を囲繞する。
【００８０】
相互に隣接する基本要素４０において山３２と谷３４の間の斜面３６が相互に交差し、従って一部は傾斜しまた一部は垂直な面法線を有する複数の湾曲面３０に対して緩やかな移行部が存在する。
【００８１】
斜面３６は延伸方向２４および２６において斜めに指向する。斜面傾斜は山３２を始点にして最初は増加し、転換点４８から各谷３４の中央で斜度０になるまで再び下降する。
【００８２】
転換点４８上の斜度は約３５°になるが、その斜度は必要に応じて広範囲に調節可能であることが理解される。
【００８３】
図４には、本発明に係る基本要素４０ａおよび４０ｂの別の切開された立体図が示されている。山３２は、それを囲繞している谷３４から丸み付けられた円錐形状に突立する。移行位置５０上、すなわち想定される山３２間の中央で谷の切込みの深さが幾らか小さくなる。
【００８４】
図５には歯科補綴物の中間層１６が示されており、象牙質層１８に対して本発明に係る移行部幾何学形状４２を有する。咬合方向５２において図示されていないエナメル質層が延在する。
【００８５】
図示されているように、この実施形態においては山３２が咬合方向５２を指向し、一方谷３４は山３２の向かい側で咬合面５２から偏位される。
【００８６】
それに代えて、山３２と谷３４の順序を入れ替えた別の構成形態も可能であることが理解される。
【００８７】
図６には、それぞれ基本要素４０を形成する山３２と谷３４の構造が拡大して示されている。
【００８８】
基本要素４０の基礎構造が六角形であり、また基本要素４０は相互に対称に延在することが示されている。
【図１】
2020114381.tif 000003
【図１ａ】
2020114381.tif 000004
【図２】
2020114381.tif 000005
【図２ａ】
2020114381.tif 000006
【図３】
2020114381.tif 000007
【図４】
2020114381.tif 000008
【図５】
2020114381.tif 000009
【図６】
2020114381.tif 000010
【外国語明細書】
2020114381000001.pdf